(57)【要約】【課題】従来の画像表示システムは、取り扱いが不便で、長い距離の伝送には適していないＢＮＣケーブルや、煩雑な光多重伝送システムにより構築されていた。【解決手段】撮像素子２は、ＨＤＴＶ画像の２倍以上の画素数の画素を二次元マトリクス状に配列した撮像領域が、複数の分割撮像領域に分割された超高精細カメラで、入射されて複数の分割撮像領域に結像された被写体光像の光量に応じたレベルのアナログ撮像信号を、複数の分割撮像領域から並列に出力する。このアナログ撮像信号はＡ／Ｄ変換装置３、信号処理装置４を経て配列変換装置５において４組のＨＤＴＶ直列信号に変換されたる。光送信装置６は、４組のＨＤＴＶ直列信号を波長帯域が異なる４組の光変調信号に変換した後、波長分割多重して一つの光多重信号を生成し、これを一本の光ファイバーへ光送信する。【選択図】            図１
2004260706.tif 000002
【特許請求の範囲】
【請求項１】
ＨＤＴＶ画像の２倍以上の画素数の画素を二次元マトリクス状に配列した撮像領域が複数の分割撮像領域に分割され、入射された被写体光像の光量に応じた信号を、前記複数の分割撮像領域から並列に出力するＣＭＯＳ構成の画素構成部と、
前記複数の分割撮像領域から並列に出力された信号に対して、所定の信号処理を行って複数のＨＤＴＶ方式撮像信号を並列に出力する信号処理部と、
前記信号処理部から並列に出力された複数のＨＤＴＶ方式撮像信号を、互いに波長帯域の異なる複数の光信号に変換した後、これらを波長分割多重して１つの光多重信号を生成して出力する光多重信号送信部と
を有することを特徴とする撮像装置。
【請求項２】
請求項１記載の撮像装置と、
前記撮像装置から出力された１つの光多重信号を伝送する一本の光ファイバーからなる光伝送路と、
前記光伝送路で伝送された１つの前記光多重信号を受信し、受信した前記光多重信号を前記複数のＨＤＴＶ方式撮像信号に変換して出力する光多重信号受信部と、
前記光多重信号受信部から出力された前記複数のＨＤＴＶ方式撮像信号をそれぞれ同時に画像表示する表示部と
を有することを特徴とする画素表示システム。
【発明の詳細な説明】
【０００１】
【発明の属する技術分野】
本発明は撮像装置及び画像表示システムに係り、特にハイビジョン等の高精細度テレビ（ＨＤＴＶ）画像の２倍以上の画素数を持つ撮像素子を用いた撮像装置と、その撮像装置により得られた超高解像度撮像信号を伝送する画像表示システムに関する。
【０００２】
【従来の技術】
図７は従来の画像表示システムの一例の構成図を示す。同図において、被写体光像を例えば高精細度テレビ（ＨＤＴＶ）画像の４倍の画素数を持つ撮像素子を用いたカメラ１０で撮像し、このカメラ１０で撮像して得られた被写体光像の超高精細撮像信号は、４つのＨＤＴＶディジタル直列信号に分割して４本のＢＮＣ用同軸ケーブル１１で伝送される。次に、この４本のＢＮＣ用同軸ケーブル１１で伝送された４分割ＨＤＴＶディジタル直列信号は表示装置１２に入力され、超高精細画像として合成してスクリーン１３に表示される。
【０００３】
ここで、上記のＨＤＴＶディジタル直列信号は、ＮＴＳＣ方式映像信号の周波数帯域の略６ＭＨｚと比較すると、１．５ＧＨｚと高い周波数域なので、例えば、高周波帯域用の古河電気工業株式会社製ＢＮＣ用同軸ケーブル５Ｃ−ＦＢが用いられる（非特許文献１参照）。
【０００４】
これにより、カメラ１０によりスポーツ・動物等の超高解像度動画像を撮像し、図７に示す様にカメラ１０から４分割ＨＤＴＶディジタル直列信号を直接４本のＢＮＣケーブルで表示装置１２に送ることで、スクリーン１３に大画面の超高解像度動画像表示ができる。
【０００５】
図８は従来の画像表示システムの他の例の構成図を示す。同図中、図７と同一構成部分には同一符号を付し、その説明を省略する。図８において、カメラ１０で撮像して得られた被写体光像の超高精細撮像信号は、４つのＨＤＴＶディジタル直列信号に分割されて４本のＢＮＣ用同軸ケーブル１１ａで光送信機１４に伝送され、ここで４つの光変調信号に変換された後光多重される。
【０００６】
光送信機１４により光多重されて取り出された光多重信号は、一本の光ケーブル１５により光受信機１６に伝送されて受信され、ここで再び４つのＨＤＴＶディジタル直列信号に復調される。光受信機１６から出力された４つのＨＤＴＶディジタル直列信号は、４本のＢＮＣ用同軸ケーブル１１ｂにより並列に表示装置１２に供給され、これによりスクリーン１３上に超高精細画像として表示される。
【０００７】
【非特許文献１】
［平成１５年２月１７日検索］、インターネット＜ＵＲＬ：ｈｔｔｐ：／／ｗｗｗ．ｆｕｒｕｋａｗａ．ｃｏ．ｊｐ／ｏｐｔｃｏｍ．／ｍｅｔａｌｃａｂｌｅ／ｆｂ．ｈｔｍ＞
【０００８】
【発明が解決しようとする課題】
しかし、図７に示した従来の画像表示システムでは、ＢＮＣケーブル１１でＨＤＴＶディジタル直列信号を伝送する場合、高周波帯域用のＢＮＣ用同軸ケーブルを用いても、略１５０ｍ以上の長さにすると、信号の劣化が大きく、しかもケーブル周辺が固い金属で形成されており硬くて重い。この為、実際の使用に際しては１５０ｍ以上の長さが必要な場合にはより太いケーブルを必要とする。従って、図７に示した従来の画像表示システムは、カメラ１０の操作が困難であり、またＢＮＣケーブルの設置も困難であり、より長距離の使用に際しては実用的でない。
【０００９】
また、図８に示した従来の画像表示システムでは、４本のＢＮＣ用同軸ケーブル１１ａ、１１ｂおよび光送信機１４及び光受信機１６をそれぞれ用いるため、システムとしては煩雑であり、設置場所も広く必要である。その上４本のケーブルの長さ・コネクタ接触状態あるいは光送信機１４及び光受信機１６の変換特性の不一致により、カメラ１０から出力された４つのＨＤＴＶディジタル直列信号の状態を良好に保つことは難しく、表示装置１２で超高精細画像として表示する場合、画質の劣化が大きく、この補正方法が問題となっていた。
【００１０】
このように、従来の画像表示システムは、取り扱いが不便で、長い距離の伝送には適していないＢＮＣケーブルや、煩雑な光多重伝送システムにより構築されていた。
【００１１】
本発明は以上の点に鑑みなされたもので、超高精細でありながら長距離伝送ができて、操作やケーブルの設置が容易な撮像装置及び画像表示システムを提供することを目的とする。
【００１２】
【課題を解決するための手段】
上記の目的を達成するため、本発明の撮像装置は、ＨＤＴＶ画像の２倍以上の画素数の画素を二次元マトリクス状に配列した撮像領域が複数の分割撮像領域に分割され、入射された被写体光像の光量に応じた信号を、複数の分割撮像領域から並列に出力するＣＭＯＳ構成の画素構成部と、複数の分割撮像領域から並列に出力された信号に対して、所定の信号処理を行って複数のＨＤＴＶ方式撮像信号を並列に出力する信号処理部と、信号処理部から並列に出力された複数のＨＤＴＶ方式撮像信号を、互いに波長帯域の異なる複数の光信号に変換した後、これらを波長分割多重して１つの光多重信号を生成して出力する光多重信号送信部とを有する構成としたものである。
【００１３】
この発明では、ＨＤＴＶ画像の２倍以上の画素数の画素を二次元マトリクス状に配列した撮像領域を複数の分割撮像領域に分割して、それらの分割撮像領域から取り出された被写体光像の撮像信号から複数のＨＤＴＶ方式撮像信号を生成した後、複数のＨＤＴＶ方式撮像信号を互いに波長帯域の異なる複数の光信号に変換して光波長分割多重して単一の光多重信号に変換して出力するようにしたため、一本の光ファイバーで複数のＨＤＴＶ方式撮像信号を伝送することができる。
【００１４】
また、上記の目的を達成するため、本発明の画像表示システムは、上記の撮像装置と、撮像装置から出力された１つの光多重信号を伝送する一本の光ファイバーからなる光伝送路と、光伝送路で伝送された１つの光多重信号を受信し、受信した光多重信号を複数のＨＤＴＶ方式撮像信号に変換して出力する光多重信号受信部と、光多重信号受信部から出力された複数のＨＤＴＶ方式撮像信号をそれぞれ同時に画像表示する表示部とからなる構成としたものである。
【００１５】
この発明では、上記の撮像装置から取り出された単一の光多重信号を一本の光ファイバーからなる光伝送路を経て受信して複数のＨＤＴＶ方式撮像信号に変換し、それらを同時に画像表示するようにしたため、一本の光ファイバーのみで複数のＨＤＴＶ方式撮像信号の伝送ができる。
【００１６】
【発明の実施の形態】
次に、本発明の各実施の形態を図面を参照して説明する。図１は本発明になる撮像装置の一実施の形態のブロック図を示す。図１において、被写体はレンズ１により撮像素子２に結像される。撮像素子２は、ＨＤＴＶ画像の２倍以上の画素数の画素を二次元マトリクス状に配列した撮像領域が、複数の分割撮像領域に分割された超高精細カメラで、入射されて複数の分割撮像領域に結像された被写体光像の光量に応じたレベルのアナログ撮像信号を、複数の分割撮像領域から並列に出力する。
【００１７】
このアナログ撮像信号はＡ／Ｄ変換装置３でディジタル撮像信号に変換された後、信号処理装置４に供給されて直線性修正・輪郭強調・不要信号除去等が行われる。信号処理装置４から出力されたディジタル撮像信号は、配列変換装置５においてディジタルのＨＤＴＶ直列信号に変換された後、光送信装置６に供給され光多重信号として一本の光ファイバーへ光送信される。
【００１８】
図２は図１中の撮像素子２の一例の構成図を示す。この撮像素子２は、ＣＭＯＳ撮像素子の例で、画素構成部２１のみでなく、水平同期信号駆動部２２、垂直信号駆動部２３、ＣＤＳ（固定雑音除去回路）２４、オフセット／ゲイン調整回路２５も同一チップ内に形成され１枚の撮像素子２を構成している。なお、必要に応じてオフセット／ゲイン調整回路２５の出力側にＡ／Ｄ変換回路を付加する場合もあるが、ここでは後段に図１に示したように、Ａ／Ｄ変換装置３が設けられるので、Ａ／Ｄ変換回路は不要である。
【００１９】
図２において、画素構成部２１は、水平方向に３８４０画素（すなわち、約４ｋ画素）、垂直方向に２１６０画素（すなわち、約２ｋ画素）が二次元マトリクス状に配列されており、更に駆動周波数を低くするために、水平方向に８分割されて８つの分割撮像領域Ｓ０〜Ｓ７のそれぞれから互いに独立に被写体光像を撮像して光量に応じたレベルの電気信号に変換する構成とされている。
【００２０】
従って、分割撮像領域Ｓ０〜Ｓ７の各々は、水平方向４８０画素、垂直方向２１６０画素であり、水平方向の画素数がＨＤＴＶ画像の１９２０画素の１／４倍であり、垂直方向の画素数がＨＤＴＶ画像の１０８０画素の２倍の２１６０画素である。また、分割撮像領域Ｓ０〜Ｓ７は画素構成部２１を水平方向に８分割したもので、垂直方向には分割されておらず、垂直方向は連続して画素に照射された被写体光像の電気信号を出力する。
【００２１】
一方、画素構成部２１の各画素を駆動する駆動部は、水平同期信号駆動部２２と垂直同期信号駆動部２３とより構成される。水平同期信号駆動部２２は、８つの分割撮像領域Ｓ０、Ｓ１、・・・、Ｓ７に１対１に対応して、８個の水平アドレス回路Ｈａｄ０、Ｈａｄ１、・・・、Ｈａｄ７を有しており、対応する分割撮像領域Ｓ０、Ｓ１、・・・、Ｓ７に対して、同時に読み出しアドレスを出力する。従って、８個の水平アドレス回路Ｈａｄ０、Ｈａｄ１、・・・、Ｈａｄ７の構成はそれぞれ同一である。
【００２２】
水平同期信号駆動部２２と垂直同期信号駆動部２３は、共にハイビジョン（ＨＤＴＶ）用水平同期信号の２倍の周波数６７．５ｋＨｚとした水平駆動信号２ＨＤと、動画動作を確保するためハイビジョン（ＨＤＴＶ）用垂直同期信号と同一周波数の３０Ｈｚの垂直駆動信号ＶＤと、ハイビジョン駆動信号の半分の周波数３７．１２５ＭＨｚ（＝７４．２５ＭＨｚ／２）のクロック１／２Ｃｌｏｃｋとを入力として受け、水平同期信号駆動部２２の８個の水平アドレス回路Ｈａｄ０、Ｈａｄ１、・・・、Ｈａｄ７からは対応する分割撮像領域Ｓ０、Ｓ１、・・・、Ｓ７に対して、同時に読み出しアドレスが出力され、垂直同期信号駆動部２３からは垂直アドレス信号Ｖａｄが形成されて画素構成部２１へ出力される。
【００２３】
次に、この撮像素子２の動作について説明する。画素構成部２１を構成する８つの分割撮像領域Ｓ０〜Ｓ７のそれぞれは、垂直方向は２１６０画素の範囲で連続して、かつ、水平方向４８０画素の領域で被写体光像の光量に応じた電荷を発生してアナログ電気信号に変換して出力する。画素構成部２１から８並列出力されたアナログ電気信号は、図２の相関二重サンプリング（ＣＤＳ：Ｃｏｒｒｅｌａｔｅｄ  Ｄｏｕｂｌｅ  Ｓａｍｐｌｉｎｇ）回路２４に供給される。
【００２４】
ＣＤＳ回路２４は入力された電気信号を、その容量に蓄積しておき、この蓄積電気信号と、画素構成部２１のリセット直後で被写体光像の蓄積が無い場合の電気信号とを同時に加えて比較し、それらの差分を被写体光像分の電気信号として出力する。これにより、各画素間のばらつきが低減される。
【００２５】
ＣＤＳ回路２４において各画素間のばらつきが低減されて８並列出力された電気信号は、オフセット／ゲイン回路２５に供給され、ここで外部からのデータによる制御に基づき、画素構成部２１の設計時の標準値を基にして、８つの各分割撮像領域Ｓ０〜Ｓ７からの所定期間の各電気信号を別々に測定しながら、それらが一定値となるように、直流成分と利得を制御して揃えた撮像信号Ｄ０、Ｄ１、・・・、Ｄ７が得られる。この８系統の撮像信号Ｄ０、Ｄ１、・・・、Ｄ７は、図１の撮像素子２からアナログ信号として並列に出力される。
【００２６】
再び図１に戻って説明するに、撮像素子２から並列出力された８系統のアナログ撮像信号Ｄ０、Ｄ１、・・・、Ｄ７の各々は、図３（Ａ）に模式的に示すように、垂直方向２１６０ライン、水平方向４８０画素で構成された分割撮像領域Ｓ０、Ｓ１、・・・、Ｓ７により撮像して得られた撮像信号であり、図１のＡ／Ｄ変換装置３によりディジタル信号に変換されて、図３（Ｂ）に示すように、クロック３７．１２５ＭＨｚ，ライン数２１６０の８並列ディジタル撮像信号とされて伝送される（実際の伝送期間はこれに帰線消去ライン数９０が付加され一画面あたり計２２５０ラインとなる。）。
【００２７】
Ａ／Ｄ変換装置３から並列出力された８組のディジタル撮像信号は、信号処理装置４に供給され、ここで例えば暗電流補正、白傷補正、利得調整、色差変換等所定の信号処理が施された後、配列変換装置５に供給され、ここで、図３（Ｃ）に模式的に示すように、４分割信号Ｄｈ０〜Ｄｈ３に変換される。この４分割信号Ｄｈ０〜Ｄｈ３は、各々垂直方向１０８０画素（ライン）、水平方向１９２０画素のＨＤＴＶ信号と同じ構成のディジタル信号であり、更に図３（Ｄ）に模式的に示すように、各組直列のディジタル信号に変換される。
【００２８】
配列変換装置５から並列に取り出された、クロック周波数７４．２５ＭＨｚ，ライン数１９２０（帰線期間は４５ライン付加される。）の４組のＨＤＴＶ直列信号Ｄｈ０，Ｄｈ１，Ｄｈ２，Ｄｈ３は、光送信装置６に供給される。光送信装置６は、入力されたＨＤＴＶ直列信号Ｄｈ０，Ｄｈ１，Ｄｈ２，Ｄｈ３を、それぞれ図３（Ｅ）に示す互いに波長帯域が異なる光信号Ｏｐ０，Ｏｐ１，Ｏｐ２，Ｏｐ３に光変調した後、これらを光波長分割多重して単一の光多重信号に生成し、この光多重信号を一本の光ファイバーで伝送する。伝送量は１ｃｈあたり略１．５Ｇｂｐｓであり、全体としては４並列のため計６Ｇｂｐｓとなる。
【００２９】
この光ファイバーによる伝送では、３０ｋｍまでは光受信装置側で誤動作することのない信号伝送が可能であることが、本発明者により確認されている。
【００３０】
図４は光送信装置６内の光送信回路の一実施の形態のブロック図を示す。同図において、ＨＤＴＶ直列信号Ｄｈ０は等価器Ｅ０で波形整形された後、光送信回路Ｏｔ０で光変調されて光変調信号Ｏｐ０とされる。同様に、他のＨＤＴＶ直列信号Ｄｈ１，Ｄｈ２，Ｄｈ３も、等価器Ｅ１、Ｅ２、Ｅ３で波形整形された後、光送信回路Ｏｔ１、Ｏｔ２、Ｏｔ３で光変調されて光変調信号Ｏｐ１、Ｏｐ２、Ｏｐ３とされる。
【００３１】
光送信回路Ｏｔ０、Ｏｔ１、Ｏｔ２、Ｏｔ３からそれぞれ出力された光変調信号Ｏｐ０、Ｏｐ１、Ｏｐ２、Ｏｐ３は、光変調信号混合器ＭＯに同時に供給され、ここで波長分割多重されて光多重信号ＯＭ０とされて出力される。なお、等価器Ｅ０ではＨＤＴＶ直列信号から標準クロックＳＴＤクロックを抽出しておき、各等価器Ｅ０〜Ｅ３での波形整形時にこのＳＴＤクロックを標準にした時間軸の位相合わせを行う。
【００３２】
図５は表示装置側に組み込む光受信回路の一実施の形態のブロック図を示す。同図において、光ファイバーから光多重信号ＯＭ０が光変調信号分離器ＤＭ０に供給され、ここで光多重信号ＯＭ０を構成している４組の光変調信号Ｏｐ０’、Ｏｐ１’、Ｏｐ２’、Ｏｐ３’に分離される。
【００３３】
各組の光変調信号Ｏｐ０’、Ｏｐ１’、Ｏｐ２’、Ｏｐ３’は対応して設けられている光受信回路Ｏｒ０、Ｏｒ１、Ｏｒ２、Ｏｒ３に供給され、それぞれ別々に光電変換されてＨＤＴＶ直列信号に戻された後、波形整形器Ｒｅ０、Ｒｅ１、Ｒｅ２、Ｒｅ３に供給されて標準状態に波形整形される。波形整形器Ｒｅ０、Ｒｅ１、Ｒｅ２、Ｒｅ３から出力されたＨＤＴＶ直列信号は、出力器Ｄａ０、Ｄａ１、Ｄａ２、Ｄａ３に供給され、それぞれ外部接続器とのインピーダンスを合わせてＨＤＴＶ直列信号Ｄｈ０’、Ｄｈ１’、Ｄｈ２’、Ｄｈ３’として出力される。
【００３４】
なお、波形整形器Ｒｅ０は、入力信号の整形時に標準クロックＳＴＤを抽出し、これを他の波形整形器Ｒｅ１，Ｒｅ２，Ｒｅ３に供給し、この標準クロックＳＴＤに合わせた時間軸合わせを行う。以上により、時間軸の合った、かつ、送信側のＨＤＴＶ直列信号Ｄｈ０，Ｄｈ１，Ｄｈ２，Ｄｈ３と同一の情報内容のＨＤＴＶ直列信号Ｄｈ０’，Ｄｈ１’，Ｄｈ２’，Ｄｈ３’を得ることができる。
【００３５】
次に、本発明による画像表示システムについて説明する。図６は本発明になる画像表示システムの一実施の形態の構成図を示す。まず、被写体光像を光送信装置を組み込んだカメラ１７で撮像する。このカメラ１７は、図１に示した本発明の撮像装置の一実施の形態の構成とされており、前述したように、撮像した被写体光像を４組のＨＤＴＶ直列信号に変換した後、これらの信号を４組の光変調信号にし、更にこれら４組の光変調信号を多重化して１本の光ファイバーで伝送できる単一の光多重信号として出力する。
【００３６】
カメラ１７から出力された上記の光多重信号は、１本の光ファイバー１８で伝送されて図５に示した構成の光受信回路を組み込んだ表示装置１９へ送られる。表示装置１９は、受信した光多重信号を図５に示した光受信回路で元の４組のＨＤＴＶ直列信号に戻した後、更に４組のアナログＨＤＴＶ信号に変換して、一画面を図３（Ｃ）に示したように４分割したときの各分割画像として４枚同時にスクリーン１３に投影表示する。これにより、スクリーン１３にはＨＤＴＶ画像の４倍の画素数の超高精細度の全体として一枚の画像表示ができる。
【００３７】
なお、本発明は以上の実施の形態に限定されるものではなく、例えば、表示装置１９は、スクリーン１３に投影する構成に限定されるものではなく、表示画面部を備えており、その表示画面部に画像表示する構成のものも含むことは勿論である。また、本発明はＨＤＴＶ画像の画素数よりも多い超高精細画像の長距離伝送を１本の光ケーブルで可能にした点に特徴があり、超高精細画像の画素数は、ＨＤＴＶ画像の４倍に限定されるものではない。
【００３８】
【発明の効果】
以上説明したように、本発明の撮像装置によれば、複数のＨＤＴＶ方式撮像信号を互いに波長帯域の異なる複数の光信号に変換して光波長分割多重して単一の光多重信号に変換して出力することにより、一本の光ファイバーのみで複数のＨＤＴＶ方式撮像信号を伝送することができるため、取り扱いが容易で、しかも従来の同軸ケーブルに比べて極めて長距離の画像伝送を行うことができる。
【００３９】
また、本発明の画像表示システムによれば、上記の撮像装置から取り出された単一の光多重信号を一本の光ファイバーからなる光伝送路を経て受信して複数のＨＤＴＶ方式撮像信号に変換し、それらを同時に画像表示することにより、一本の光ファイバーのみで伝送された複数のＨＤＴＶ方式撮像信号による画像表示を行うようにしたため、時間軸ずれの無い良好なＨＤＴＶ画像の２倍以上の画素数の超高精細画像を表示することができる。
【図面の簡単な説明】
【図１】本発明の撮像装置の一実施の形態のブロック図である。
【図２】図１中の撮像素子の一例の構成図である。
【図３】図１の各部の動作の説明図である。
【図４】図１中の光送信装置内の光送信回路の一実施の形態のブロック図である。
【図５】本発明画像表示システムの表示装置側に組み込む光受信回路の一実施の形態のブロック図である。
【図６】本発明の画像表示システムの一実施の形態の構成図である。
【図７】従来のＢＮＣケーブルを用いた画像表示システムの一例の構成図である。
【図８】従来の光送受信装置を用いた画像表示システムの一例の構成図である。
【符号の説明】
１  レンズ
２  撮像素子
３  Ａ／Ｄ変換装置
４  信号処理装置
５  配列変換装置
６  光送信装置
１７  光送信回路を備えたカメラ（撮像装置）
１８  光ファイバー
１９  光受信回路を備えた表示装置
２１  画素構成部
２２  水平同期信号駆動部
２３  垂直同期信号駆動部
２４  ＣＤＳ回路
２５  オフセット／ゲイン回路
Ｏｔ０〜Ｏｔ３  光送信回路
ＭＯ  光変調信号混合器
ＤＭＯ  光変調信号分離器
Ｏｒ０〜Ｏｒ３  光受信回路
Ｒｅ０〜Ｒｅ３  波形整形器
【図１】
2004260706.tif 000003
【図２】
2004260706.tif 000004
【図３】
2004260706.tif 000005
【図４】
2004260706.tif 000006
【図５】
2004260706.tif 000007
【図６】
2004260706.tif 000008
【図７】
2004260706.tif 000009
【図８】
2004260706.tif 000010